(57)【要約】      （修正有）【課題】オートバイのライダーが停車する時や乗り始める時に、電気的なスィッチボタンを押すだけで、オートバイ下方にある二本の支持棒が自動的に上下し、駐車や始動を容易にするオートバイの電動式支持機構を提供する。【解決手段】オートバイの下方に設置された電動式支持機構で、駆動モータ２と、伝達する平歯車、傘歯車４、偏心輪リンク６に伝達する偏心輪と、すべり軸７と連動し、それを前後に移動させる偏心輪リンク及びすべり軸を拘束するすべり軸の座８と、支持棒固定軸１０に固定されている支持棒１１を引くか、押すことによって前後に回転するアーチ型連動リンク棒、及び、支持棒固定軸を中心にアーチ型連動リンク棒によって前後に回転し、オートバイを支えるか納める位置に戻る支持棒より構成される。【選択図】図１
0003111492.tif 000002
【実用新案登録請求の範囲】
【請求項１】
以下のものを含むことを特徴とする、オートバイの下方に設置された、オートバイの電動式支持機構；
（１）動力を発生し、平歯車を回転させる駆動モータ
（２）動力を傘歯車に伝達する平歯車
（３）動力を偏心輪に伝達する傘歯車
（４）動力を偏心輪リンクに伝達する偏心輪
（５）すべり軸と連動し、それを前後に移動させる偏心輪リンク
（６）すべり軸を拘束するすべり軸の座
（７）支持棒固定軸に固定されている支持棒を引くか押すための、前後に回動可能なアーチ型連動リンク棒、及び、
（８）支持棒固定軸を中心に、前記アーチ型連動リンク棒によって前後に回転させられる、オートバイを支えるか納める位置に戻る支持棒。
【請求項２】
前記支持棒の先端がギザギザになっている、請求項１に記載されたオートバイの電動式支持機構。
【請求項３】
請求項１に記載されたオートバイの電動式支持機構に使用される支持棒。
【請求項４】
先端がギザギザになっている請求項３に記載された支持棒。
【考案の詳細な説明】
【技術分野】
【０００１】
本考案は、オートバイのライダーが停車する時や乗り始める時に、電気的なスィッチボタンを押すだけで、オートバイ下方にある二本の支持棒が自動的に上下し、駐車や始動を容易にするオートバイの電動式支持機構である。本支持機構は電動式で、車体を支えたり上下させることを自動的に行う装置であり、停車したり乗るときに、人が押したり引いたりする力が省かれ、簡単で便利になるという利点を有する。
【背景技術】
【０００２】
オートバイは便利で経済的な乗り物であるが、重さや安定性の問題から、体型の小さな人にとって大きな負担になることがある。従来のオートバイの支持機構では、駐車するときに人力で車体を後へ引くことによって車体の重量を支え、オートバイを立たせる。このとき、オートバイのライダーは、片足で支持棒を押さえながら手でハンドルと車体を後方に強く引いて、車体を持ち上げながら支持棒の上に乗るという形でオートバイを立たせる。この動作は女性や体型の小さな人にとっては容易ではなく重労働であるとも言える。特に大型バイクの場合には、一見簡単に見えるこの動作が一層難しくなる。
また、都市部では土地が狭いため、駐車場所で別のオートバイと隣り合わせになることが多い。従って、車体を後方に引くときに人の立つ場所が確保できなかったり、隣のオートバイにぶつける場合が多々ある。
【考案の開示】
【考案が解決しようとする課題】
【０００３】
本考案者は、前述の駐車問題を解決するために鋭意検討した結果、ライダーが降りなくても、電気的なスイッチボタンを押すだけで、オートバイ下方にある二本の支持棒を、自動的に後方の収納箇所から前方に８０゜回転しながら降下させることにより、てこの原理によって自動的にオートバイを持ち上げ、容易に駐車することのできる便利な機構を開発した。オートバイを乗るときには、同じスイッチボタンを押すだけで、オートバイを支える支持棒を自動的に後方に回転させ車体を地面に降ろせば良い。
従って本発明の第１の目的は、オートバイを駐車するときに降りる必要がないだけでなく、狭いところでも難なく駐車できる上、女性や体型の小さい人でも容易にオートバイを駐車させることのできる、オートバイの電動式支持機構を提供することにある。
本発明の第２の目的は、オートバイに乗るときに、予めオートバイに乗った後にスイッチボタンを押すだけで、容易に支持棒を外し発進する事のできる、オートバイの電動式支持機構を提供することにある。
【課題を解決するための手段】
【０００４】
本考案の上記の目的は、
（１）動力を発生し、平歯車を回転させる駆動モータ
（２）動力を傘歯車に伝達する平歯車
（３）動力を偏心輪に伝達する傘歯車
（４）動力を偏心輪リンクに伝達する偏心輪
（５）すべり軸と連動し、それを前後に移動させる偏心輪リンク
（６）すべり軸を拘束するすべり軸の座
（７）支持棒固定軸に固定されている支持棒を引くか押すための、前後に回動可能なアーチ型連動リンク棒、
及び、
（８）支持棒固定軸を中心に、アーチ型連動リンク棒によって前後に回転させられる、オートバイを支えるか納める位置に戻る支持棒、
を含むことを特徴とする、オートバイの下方に設置された、オートバイの電動式支持機構によって達成された。本考案においては、前記支持棒の先端は、ギザギザになっていることが好ましい。
【考案の効果】
【０００５】
本考案によれば、オートバイを駐車するときに降りる必要がないだけでなく、狭いところであっても、また、女性や体型の小さい人でも容易にオートバイを駐車させることができるだけでなく、オートバイに乗るときには、予めオートバイに乗った後にスイッチボタンを押すだけで、容易に発進させる事ができる。
【考案を実施するための最良の形態】
【０００６】
以下、本考案を実施例によって詳しく説明する。図１は本考案の正面図、図２は本考案の側面図を表す。本考案の「電動式オートバイの支持機構」はオートバイの下方に設置される。駐車するときには、ライダーが、ハンドルその他ボディの適宜の箇所に設けられたスイッチボタン（１）を押すと駆動モータ（２）が動き始め、動力を平歯車（３）に伝達し、更にそれと連結する傘歯車（４）に動力が伝わる。傘歯車（４）の動力は偏心輪（５）、偏心輪リンク棒（６）を介して、偏心輪リンク棒（６）につながるすべり軸（７）を前後に移動させる。すべり軸（７）は、外部のすべり軸の座（８）によって固定される。すべり軸（７）はそれと連結するアーチ型連動リンク棒によって、支持棒固定軸（１０）に固定されている支持棒（１１）を、後方から前方に８０゜回転し、てこの原理によってオートバイを持ち上げ、支持棒（１１）がオートバイに対して完全に垂直になり、オートバイを支えてから停止する。これによって駐車する動作が完成する。支持棒の先端設置面はギザギザになっていることが好ましい。
【０００７】
オートバイに乗るときは、駐車の場合と同様にスイッチボタン（１）を押すと、駆動モータ（２）が動き始め、動力を平歯車（３）に伝達し、更にそれと連結する傘歯車（４）に動力が伝わる。傘歯車（４）の動力は偏心輪（５）、偏心輪リンク棒（６）を介して、偏心輪リンク棒（６）につながるすべり軸（７）を前後に移動させる。すべり軸（７）は外部のすべり軸の座（８）によって固定される。すべり軸（７）はそれと連結するアーチ型連動リンク棒によって、支持棒固定軸（１０）に固定されている支持棒（１１）を、オートバイに対して完全に垂直になった位置から後方に８０゜回転し、後方の支持棒の収納場所まで来て停止する。これで容易にオートバイに乗ることができる。
尚、上記実施例は本考案の１実施例であって、本考案の技術的範囲を限定するものではない。つまり、本考案の均等範囲や修繕は本考案の範囲内に属する。
【産業上の利用可能性】
【０００８】
本考案によれば、オートバイの駐車過程が完全に自動化され、従来のオートバイの駐車時の手間や安全性を改善する事ができる。これによって、オートバイの利便性が大幅に向上するので、本考案は産業上極めて有意義である。
【図面の簡単な説明】
【０００９】
【図１】本考案の正面図である。
【図２】本考案の側面図である。
【符号の説明】
【００１０】
１．スイッチボタン
２．駆動モータ
３．平歯車
４．傘歯車
５．偏心輪
６．偏心輪リンク棒
７．すべり軸
８．すべり軸の座
９．アーチ型連動リンク棒  
１０．支持棒固定軸
１１．支持棒
【図１】
0003111492.tif 000003
【図２】
0003111492.tif 000004